(57)【特許請求の範囲】
【請求項１】
スズメ蜂やハチ類の巣の模造品として、下地を形成する外殻部の材質を、合成樹脂、金属類、合成ゴム類や紙類、樹木、椰子殻繊維等の材料での製造方法が可能な、卵型を基本として、表面に巣の模様を直接印刷、もしくは印刷した物を貼りつける事により、スズメ蜂類等の巣の模造品とする、カラス等鳥類の忌避（撃退）装置。
【請求項２】
果実袋や紙袋、樹脂袋、樹脂シート、防水紙、シール紙に、スズメ蜂やハチ類の巣の模様をカラー印刷して、袋状のスズメ蜂の巣の模造品として、果実をカラス等鳥類の食害から守る為の、果実保護袋状のカラス忌避（撃退）装置。
【請求項３】
ポリエチレン製などの樹脂製のゴミ袋に、スズメ蜂やハチ類の巣をカラー印刷して、ゴミ袋を袋状のスズメ蜂の巣の模造品とする、ゴミの散乱防止を目的としたカラス等鳥類の忌避（撃退）装置。
【発明の詳細な説明】
【要約】
スズメ蜂等ハチ類の巣の模造品を用いた、カラス等鳥類忌避（撃退）装置及び、その製造方法。
【課題】
スズメ蜂等ハチ類の巣の模造品を用いた、カラス等鳥類撃退装置として、カラス等鳥類の被害を受けている、どの様な場所にも設置する事ができ、カラス等鳥類の学習能力に対応し、カラス等鳥類の忌避（撃退）効果が長期間持続する装置とその製造方法を提供する。
【技術分野】
【０００１】本発明は、スズメ蜂類やアシナガバチ類の巣の模造品を用いた、２種類のカラス等鳥類忌避（撃退）装置と、その製造方法に関するものである。
【背景技術】
【０００２】現在、農作物の鳥類被害は、１９９３年の農林水産省農産園芸局植物防疫課による集計の全国データーによると、特にカラスでは、野菜において、トマト・スイカ・トウモロコシ等、また果樹おいては、リンゴ・カキ・ナシ・ブドウ等、穀物も含めると６万ｈａ、４万２千トンの農産物被害があり、抜きん出て一位と成っている。その他にもゴミ集積場やマンションやアパートのベランダ等の食い散らかす被害、墓地の被害、飛行場のバードストライク事故等、列挙にいとまがない多種多様の被害に悩まされているのは既知の事実であります。一般にカラスなど鳥類の被害を防止する対策は、ＣＤや長いバネを吊り下げるなどの反射物を取り付ける事や、カラスの屍骸の模造品等の、単に周囲を視覚的に異様な環境を作り上げる事で警戒をさせ、作物やゴミ袋などをカラス等鳥類の被害から守るものしか存在しなかった。発明者が運営する園芸場においても、長年に渡り植え付けた花苗を抜き取られ、多大な損害をこうむり、カラスの被害に悩まされ続けて今日に至っている。これら一般の方法も施行して対策を高じて来たが、危険が無くコケおどしだと見破ると、たけた学習能力により、ごく短期間で忌避効果を失い、被害を抑え得なかった。そこで、こうした被害を防止すべく観察研究と改良を重ね、カラス等鳥類の天敵を基にした生態を基本として、独自の方法の２種類のカラス等鳥類の撃退装置と撃退方法を確立した。【０００３】一方、同様のカラスの撃退手段が存在しないかを検索した結果、下記先行技術文献に記載された手法をはじめとするいくつかの情報が得られた。
【先行技術文献】
【特許文献】
【０００４】
【特許文献１】特開２００９−１５９９４３号公報
【特許文献２】特開２００５−０５８０９２号公報
【特許文献３】特開２００４−８１０２１号公報
【特許文献４】特開２００７−８９５３３号公報
【非特許文献】
【０００５】
【非特許文献１】鳥害の防ぎ方  藤岡正博  中村和雄  著
【非特許文献２】「カラス研究室ＣＲＯＷ’Ｓ  ＬＡＢＯ」ｈｔｔｐ：／／ｈｏｍｅｐａｇｅ３．ｎｉｆｔｙ．ｃｏｍ／ｓｈｉｂａｌａｂｏ／ｃｒｏｗ／（平成２３年１月２９日アクセス）
【発明の概要】
【発明が解決しようとする課題】
【０００６】これら既存のカラス撃退手段には本発明に重複する内容は無く、既存のカラス撃退手段では、想像を超えるカラスのたけた学習能力により、時間と共に慣れで忌避効果が急激に薄れて、短期間で効果を失ってしまう事が起こり、その事が文献にも指摘されている。【０００７】本発明は「慣れてしまい忌避効果（追い払い効果）を失ってしまう」と言う、従来の発明が抱えていた根本的な問題を元から解決するもので、鳥類の中でも特にカラスの並優れた学習能力によっても忌避効果を失う事無く、長期に渡りカラス等鳥類の忌避（撃退）を可能とする事を実現したものである。
【課題を解決するための手段】
【０００８】本発明は、スズメ蜂等のハチ類の巣の模造品（図２）を用いそれを設置することで、巣にはハチが居るものだと錯覚させ、周辺に群れている事を予想させるハチ類の巣の存在に、ハチに刺される危険がある事を予想して、あえて巣の近くには行けないとカラス等鳥類に思わせる事で、カラス等鳥類を生理的に忌避（撃退）する装置である。ハチ類の巣の模造品を支柱に取り付けたり（図９）、紐や金具で吊るして取り付けしたり（図１０，図１１）、又は、果実の保護袋に、スズメ蜂類の巣の彩色印刷をして巣の模造品とし（図７）、それを果実に被せたり、（図１２）、それぞれ蜂類の巣の模造品を用いたカラス等鳥類忌避（撃退）装置である。
【発明の根拠と効果】
【０００９】＜本発明の特徴＞
本発明の最大の特徴は、「カラス等鳥類の天敵が、スズメ蜂類やアシナガ蜂等の蜂類である。」という事を発見した事により、「カラス等鳥類はスズメ蜂等の、ハチ類の巣を発見すると、その周辺には決して近づかない。」という、発明者の長年にわたるカラスの生理的な忌避行動の観察研究の結果より導き出した発明である。
【００１０】＜本発明の根拠＞
スズメ蜂類の習性に関しては、専門家による過去の研究から以下の事が判明している。
スズメ蜂類の巣から約１０ｍ以内の範囲は、スズメ蜂類にとって巣を守る縄張り圏内であり、この圏内に入り巣に近づく者があると、スズメ蜂類は顎をカチカチと鳴らして威嚇したあと、なおも近づくものがあれば集団で一斉に激しく毒針で攻撃する習性がある。
【００１１】スズメ蜂類やその他ハチ類の巣の周辺にカラス等鳥類が寄り付かないのは、ハチ類の毒針による攻撃を恐れ、スズメ蜂類の巣に近づかないからだと推論できる。カラス等鳥類にとってスズメ蜂類は脅威の存在であり、カラス等鳥類にはスズメ蜂類の巣は、多数のスズメバチ類が存在しうる危険な範囲であり、うっかり近づくとスズメ蜂に攻撃される危険範囲である事の象徴と認識していると推測できる。
【００１２】また、一般に知られている「スズメバチ類は、威嚇を無視して巣に近づく者に、スズメ蜂は黒色の動く物に対して強く反応し、毒針で激しく攻撃する。」という習性は、巣を守る本能と共に、カラスとスズメバチ類が餌の種類が同じ食物（果物や昆虫等肉類の雑食性）であることから、カラスとハチ類の生存競争の中から生まれてきた習性（本能）ではないかと推測できる。「黒い色によりよく反応して攻撃するのは、色の黒い動く物として、カラスを一番身近な敵者と認識して攻撃する習性（本能）からではないか」と推測する事ができ、カラスにとってスズメバチ類などの蜂類は、刺されると命を失いかねる、極めて危険な存在であり、一番の天敵であると思われる。カラス等鳥類のスズメ蜂等の蜂の巣を極端に警戒する習性が、本発明の根拠となっている。
【００１３】  ＜根拠の裏付け＞
数年前より、一部の園芸場で試験的に設置して効果を確認していたが、開始日時や設置期間の記録が成されていなかった為、本発明の根拠の裏付けを得る為に、被害が特に甚大な果実樹（イチジク、みかん）の果樹側部周辺や、果樹に直接スズメ蜂類の巣の模造品を複数配置し、スズメ蜂の巣が存在する状況を作った場（検証１）（図１０）と、スズメ蜂の巣の彩色を印刷した果実袋を果実に装着した場（検証２）を設けた。（検証１）も（検証２）も検証開始を２０１１年５月２０日より開始し、その直後から検証現場にカラスが全く寄り付かず、イチジクでは収穫終わりの１１月１６日まで、約６ヶ月間カラスによる食害がなかった。みかんでは１０月１０日より、１２月６日の収穫終了まで約２ヶ月間、カラスによる食害が全くなかった。
【００１４】検証１並びに検証２がもたらした結果は、「カラス等鳥類は遠くからでもスズメ蜂の巣を発見すると近寄らない。」と言う忌避効果により、長期間に渡りカラス等鳥類を忌避（撃退）する事ができた。この実験結果により、特にカラス類には並外れた目の良さと、学習能力があるものの、巣を発見すると近寄らないと言う劇的な撃退効果が確認でき、持続した効果が実証された。
【００１５】よって、スズメ蜂の巣の模造品を設置する事や、果実の袋に巣の彩色印刷をした袋を、柑橘類、葡萄、梨、リンゴ、柿などの果実の保護袋として使用する事により、おおむね設置した巣を中心に直径約２０メーター前後の範囲を、カラス等鳥類の食害から守る事が出来る、自然の摂理に成り立った忌避（撃退）装置であり、収穫までの期間、忌避効果でカラスの忌避（撃退）を可能とし、また、どんな任意の場所でも、スズメ蜂の巣の模造品を設置すれば、その場所周辺にカラスを近づけ無くさせる事が出来る優れた装置である。
【図面の簡単な説明】【００１６】
【図面の簡単な説明】
【図１】本発明のスズメ蜂類の巣の模造品断面図
【図２】本発明のスズメ蜂類の巣の模造品イメージ図
【図３】本発明のアシナガ蜂類の巣の模造品イメージ図
【図４】本発明の支柱取り付け型のスズメ蜂類の巣の模造品イメージ図
【図５】本発明の吊り下げ型のスズメ蜂類の巣の模造品イメージ図
【図６】本発明のクリップ取り付け型のスズメ蜂類の巣の模造品イメージ図
【図７】本発明の果実保護袋型スズメ蜂類の巣の模造品平面図
【図８】本発明のゴミ袋型スズメ蜂類の巣の模造品平面図
【図９】本発明の支柱取り付け型のスズメ蜂類の巣の模造品設置イメージ図
【図１０】本発明の吊り下げ型のスズメ蜂類の巣の模造品設置イメージ図
【図１１】本発明のクリップ取り付け型のスズメ蜂類の巣の模造品設置イメージ図
【図１２】本発明の果実保護袋型スズメ蜂類の巣の模造品の設置イメージ図
【図１３】本発明のゴミ袋型スズメ蜂類の巣の模造品の設置イメージ図
【発明を実施するための形態】
【００１７】本発明は、果物畑、野菜畑、温室、建物のベランダ、ごみ集積場、養豚場、養鶏場、等の、任意にカラスや鳥類を忌避（撃退）したい場所に、電気装置や特別な技術は全く必要としないで、初めての人でも女性でも容易に設置する事ができて、長期に渡りカラスや鳥類を撃退する装置を目的として考案した。
【００１８】    ＜本発明の系統と種類＞
本発明には２系統があり、そのうちの系統（１）は、出来うる限り本物の巣に似せたスズメ蜂類の巣を立体的に模造し、その表面に巣の模様を実寸カラー着色して、スズメ蜂類の巣の模造品（図２）とするものである。系統（２）では、果樹園の果実を保護する紙製の袋の表面に、ハチ類の巣の彩色印刷をして果実に被せ、果実に被せた袋そのものをスズメバチ類の巣の模造品（図７）とするものである。また、ゴミ袋にハチ類の巣の彩色印刷をしてゴミ袋そのものをスズメバチ類の巣の模造品（撃退装置）（図８）とするものである。
【００１９】スズメ蜂等の巣の模造品の、系統（１）の本体について説明する。本発明の、スズメ蜂類の巣の模造品の下地を形成する外殻部の材質は、合成樹脂、金属類、合成ゴム類や紙類、椰子殻繊維等の材料での製造が可能であり、卵型（図１、図２）を基本とする。本発明のアシナガバチ類の巣の模造品の材質も同様の材料で製造が可能であり、釣鐘型（図３）を基本とする。次に、系統（２）の果実袋型では、紙、布、不織布、樹脂、などの材質で、袋状の形状（図７）にして、果実の保護袋の役割を持たせる。絞り止め具を開口部に付け作成する。ゴミ袋型では、ポリエチレン製や、ビニール製、紙製などの材料で作られたゴミ袋用の大型の樹脂袋（図８）を材料とする。
【００２０】    ＜本発明の製造方法＞
巣の形状では、大きく分けて２つの種類があるが共に効果があり、１つ目はスズメバチ類の巣の形状と彩色を模した偏球形の模造品（図１、図２）である。このスズメ蜂類の巣の模造品の着色は、出来うる限り実物に似せて作成した偏球形状の外殻下地（図１）に、スズメバチ類の巣の半円弧の連続である、薄クリーム茶色から濃い焦げ茶色の間の色幅の縞模様彩色を、直接に印刷するか、あるいは防水粘着紙や樹脂粘着シート等に印刷し、貼り付ける事によりスズメ蜂類の巣の模造品（図２）が完成される。合成樹脂のボール、あるいはゴムボールの下地に直接印刷もしくは印刷したシート状の物を貼り付けて撃退装置とする事も可能である。２つ目は形状がハスの実状（円錐状）の外殻下地材で、アシナガバチの巣の灰色の彩色を施す（図３）。下地に直接に印刷するか、あるいは防水紙や樹脂シートなどに印刷し貼り付ける事により、アシナガバチ類の巣の模造品（図３）が完成する。
【００２１】系統（１）では、スズメ蜂類の巣の模造品を取り付ける方法として、▲１▼支柱取り付け型として、パイプを差し込む穴を設置する。（図１、図４）、▲２▼吊り下げ型として上部に吊り下げ金具を取り付ける。（図５）、▲３▼クリップ取り付け型は上部に取り付けクリップを取り付ける。（図６）の３種類の形状を代表に提示しているが、これは取り付け方法や取り付け金具は、設置場所に応じて任意に変化できる。また、スズメ蜂等の巣の模造品の大きさは、用途（設置場所）に応じるため、周囲の直径を、おおむね直径約１０ｃｍから直径１５０ｃｍの間の寸法で、作成する。
【００２２】系統（２）では、▲１▼果実袋型として果樹園の果実を保護するための、果実によって大きさが異なる紙製の保護袋と同じ寸法で、紙製もしくは不織布等の果実保護袋の表面に、スズメバチ類の巣の彩色印刷をして、カラスの撃退装置（図７）とする。スズメバチ類の巣の彩色印刷された果実の保護袋は、果実に被せる事により果実で膨らみ、スズメ蜂の巣の模造品として効果を発揮する。ブドウ、なし、桃、リンゴ、柑橘類、柿、イチジク、等、屋外、屋内（パイプハウス、ガラス温室）を問わず、画期的な鳥類忌避（撃退）が可能となる。▲２▼ゴミ袋型として、ポリエチレン製や、ビニール製などの樹脂製のゴミ袋に、スズメバチ類の巣の彩色印刷をして、カラス等の忌避（撃退）装置（図８）とするものである。スズメバチ類の巣の印刷は、どの方向からも見えるよう、複数の巣を印刷して、カラス等鳥類忌避（撃退）装置とする。
【カラス等鳥類撃退装置の設置要領の説明】
【００２３】［カラス等鳥類撃退装置の設置要領の説明］
まず、系統（１）の、支柱固定型のスズメ蜂の巣の模造品による、カラス等鳥類の撃退装置について説明する。（図４）は本発明の支柱固定型のスズメ蜂の巣による、カラスの撃退装置のイメージ図である。畑地など土の上の設置では、支柱を土に差し込み簡単に設置（図９）できる。（図１０）は吊り下げ型のスズメ蜂の巣による、果樹の取り付けイメージ図である。果樹や構造物に紐や吊り下げ金具で吊るして設置する。（図１１）はクリップ取り付け型の設置イメージ図である。クリップで果樹や作物や近くの構造物に、誰でもごく簡単に取り付けできる。また、大型の直径１ｍ以上に達するスズメ蜂類の巣の模造品は、飛行場など広範囲にカラス等鳥類を忌避したい場所に設置する事が考えられ、今後鳥害に悩む広大な敷地を対象とする施設に設置することも可能である。
【００２４】系統（２）の（図１２）は本発明の、果実袋型装置の設置イメージ図である。通常の保護袋の取り付け作業で、印刷していない袋掛け作業の、全部又は一部を本発明のスズメ蜂類の巣をカラー印刷した袋に変えて、果実に被せるだけで、果実の保護袋がカラス等鳥類の忌避（撃退）装置となり、余分な作業をする事無く、袋を設置した周辺をカラス等の被害から守り、カラス等鳥類の忌避（撃退）を可能とする画期的なものである。
【００２５】（図８）は本発明の、ゴミ袋型装置の設置イメージ図である。ゴミを入れてゴミ集積場に出した時、内容物によりゴミ袋が膨らみ、カラス等鳥類の忌避装置となり、ゴミ袋をカラスの食害から守り、食い荒らし被害を未然に防ぐカラス等鳥類の忌避（撃退）装置である。
【図１】
0005589158.tif 000002
【図２】
0005589158.tif 000003
【図３】
0005589158.tif 000004
【図４】
0005589158.tif 000005
【図５】
0005589158.tif 000006
【図６】
0005589158.tif 000007
【図７】
0005589158.tif 000008
【図８】
0005589158.tif 000009
【図９】
0005589158.tif 000010
【図１０】
0005589158.tif 000011
【図１１】
0005589158.tif 000012
【図１２】
0005589158.tif 000013
【図１３】
0005589158.tif 000014